(57)【要約】【課題】マスコット人形の顔部分に実体感・立体感を持たせて本人の実顔そのものが表現でき、商品価値を高める。【解決手段】鼻、口、目等の凹凸状の顔面部３を備えたプラスチック製の立体成形板４を形成すると共に、該立体成形板４の表面に、前記顔面部３に対応するよう顔写真５を印刷することによって顔写真付きお面部材Ｆを設け、この顔写真付きお面部材Ｆを人形の顔部分２へ装着して成ることを特徴とするマスコット人形。【選択図】図２
0003129504.tif 000002
【実用新案登録請求の範囲】
【請求項１】
鼻、口、目等の凹凸状の顔面部を備えたプラスチック製の立体成形板を形成すると共に、該立体成形板の表面に、前記顔面部に対応するよう顔写真を印刷することによって顔写真付きお面部材を設け、この顔写真付きお面部材を人形の顔部分へ装着して成ることを特徴とするマスコット人形。
【請求項２】
顔写真は、携帯電話機カメラまたはデジタルカメラによるデジタルデータである請求項１記載のマスコット人形。
【請求項３】
顔写真は、携帯電話機のメール機能を用いたデジタルデータである請求項１または２記載のマスコット人形。
【考案の詳細な説明】
【技術分野】
【０００１】
本発明は、例えば携帯電話機のストラップやキーホルダー等に取り付けたり、その他のマスコットとして利用することができ、顔部分に実体感・立体感を付与してなるマスコット人形に関する。
【背景技術】
【０００２】
従来から、この種のマスコット人形としては、特許文献１に開示されているように、顔の絵若しくは写真を印刷若しくは複写によって印刷した顔フィルムを設け、当該顔フィルムを、前記頭部の顔部に設けられた鼻の位置と顔フィルムに印刷された鼻の位置を合わせた後、顔部の中心線に沿って配置し、前記中心線を中心とした所定範囲を押圧若しくは擦りつけにより貼り付け、当該顔フィルムを加熱し、かつ顔フィルムの周縁を伸展させながら顔部の周囲に貼り付けたマスコット人形なる技術が存在する。
【特許文献１】特開２００４−２６１６２０号公報
【考案の開示】
【考案が解決しようとする課題】
【０００３】
しかしながら、従来においては、マスコット人形の顔部分に例えばインクジェットで印刷した顔フィルムを直接貼り付けるだけであるため、実体感・立体感に乏しいものであった。したがって、従来のマスコット人形は、商品価値が低いものとなるという問題点を有していた。
【０００４】
そこで、本考案は、叙上のような従来存した諸事情に鑑み案出されたもので、マスコット人形の顔部分に実体感・立体感を持たせて本人の実顔そのものを表現でき、これによって商品価値を高めることができるマスコット人形を提供することを目的とする。
【課題を解決するための手段】
【０００５】
上述した課題を解決するため、本考案にあっては、鼻、口、目等の凹凸状の顔面部を備えたプラスチック製の立体成形板を形成すると共に、該立体成形板の表面に、前記顔面部に対応するよう顔写真を印刷することによって顔写真付きお面部材を設け、この顔写真付きお面部材を人形の顔部分へ装着して成ることを特徴とする。
【０００６】
顔写真は、携帯電話機カメラまたはデジタルカメラによるデジタルデータである。
【０００７】
顔写真は、携帯電話機のメール機能を用いたデジタルデータである。
【考案の効果】
【０００８】
本考案によれば、マスコット人形の顔部分に実体感・立体感を持たせて人の顔そのものを表現できる、これによって商品価値を高めることができる。したがって、モチーフとなっている人物の顔を立体的に表したマスコット人形が得られる。
【考案を実施するための最良の形態】
【０００９】
以下、図面を参照して本考案を実施するための最良の一形態を説明する。
図１には、例えば携帯電話機のストラップＳに取り付けられた人形１が示されている。
尚、本実施の形態では、携帯電話機のストラップＳを使用しているが、これに限らず、例えばキーホルダー等に取り付けたり、その他のマスコットとして利用することができることは勿論である。
【００１０】
この人形１の顔部分２には、図２に示すように、おおよその鼻、口、目等の凹凸状の顔面部３を形成して成るプラスチック製の立体成形板４を形成すると共に、該立体成形板４の表面に、前記顔面部に対応するよう顔写真５を印刷することによって顔写真５付きお面部材Ｆを例えば嵌合方式あるいは接着方式等によって装着できるようになっている。
【００１１】
すなわち、顔部分２には、おおよその鼻、口、目等の凹凸状の顔面部３を形成して成るプラスチック製の立体成形板４に例えばインクジェット等で人の顔写真５を印刷する。このとき、立体成形板４は例えば塩化ビニール等で成形し、鼻を隆起させ、眼をくぼませ、顔面の輪郭についていくつかのパターンを用意しておけば良い。そして、この印刷した顔写真５付きお面部材Ｆを人形１の顔部分２における欠落部分へ、パッチン止め等の嵌合方式あるいは接着剤等を使用して装着する。
【００１２】
しかして、人形１の顔部分２を欠落させることなく、当該面上に顔写真５付きお面部材Ｆを前記手法によって装着するようにしても良い。また、前記立体成形板４としては、例えば無色透明な熱伸縮性のあるプラスチックフィルムを使用することができる。
さらに、タイプの違う立体成形板４を複数設けておき、これら立体成形板４から所望のものを選択し、その立体成形板４の上面に各人の顔写真５をそれぞれ印刷できるようにすることもできる。
【００１３】
ところで、顔写真５をプリントするためには、基本的にはデジタルデータが必要なので、そのデータを例えばカメラ付き携帯電話機のカメラデータから得るか、あるいは携帯電話機のメール機能を用いるか等してデータ取得上のシステム化を図る。また、顔写真５をデジタルカメラから取り入れた場合には、顔写真データをパーソナルコンピューター内に取り入れて、その大きさが調整される。そして、その顔写真５から顔面部分をトリミングして、その顔面部分だけを立体成形板４に印刷すれば良い。
【００１４】
次に、以上のように構成されたマスコット人形の顔写真作成の手順の一例について図３に基づき説明する。
先ず、例えば人気アトラクション等において、乗車待ちで並んでいるユーザに退屈感を無くすことを目的とし、ユーザの列に対してポスターや貼り歩手等でＱＲコードやアドレスを掲示してホームページにアクセスしてもらう（ステップ１）。
【００１５】
そして、人形１の絵柄をカメラ付き携帯電話機へダウンロードしてもらい（ステップ２）、その壁紙を使用して顔部分２の位置決めをして（ステップ３）から、個人の顔をカメラ付き携帯電話機で撮影した後（ステップ４）、このデータをマスコット人形作成者側に電子メールで送る（ステップ５）。
【００１６】
そして、マスコット人形作成者は、人形１の顔部分２から立体成形板４を外し（ステップ６）、この送信されたカメラデータを基にして、取り外された立体成形板４に個人の顔写真を例えばインクジェット等で印刷する（ステップ７）。
【００１７】
次いで、立体成形板４に剥がれ防止用のトップコートを施し（ステップ８）、人形１に装着した後（ステップ９）、乗車されたユーザに提供する。
【産業上の利用可能性】
【００１８】
本考案は、マスコット人形に限らず、皮革製品やＴシャツ等の名前入りとして利用することも可能であり、カメラ付き携帯電話機を利用した幅広い商品展開が可能である。
【図面の簡単な説明】
【００１９】
【図１】本考案を実施するための最良の形態を示す使用状態の斜視図である。
【図２】同じく人形本体の顔部分から顔写真印刷済みの顔基板を装着する状態を示す斜視図である。
【図３】同じくマスコット人形の形成手順の一例を示すフローチャート図である。
【符号の説明】
【００２０】
Ｓ    ストラップ
Ｆ    顔写真付きお面部材
１    人形
２    顔部分
３    凹凸状の顔面部
４    立体成形板
５    顔写真
【図１】
0003129504.tif 000003
【図２】
0003129504.tif 000004
【図３】
0003129504.tif 000005